(57)【要約】【課題】より最適な試料の温度制御を実現する耐候試験装置を提供すること。【解決手段】試料１１を収める環境室１２と、試料１１に光を照射する照射器２６と、環境室１２内の空気を照射器２６の吸気用開口３２Ａから導入し、環境室１２の外部に通じる排気通路管４１を通じて当該外部に排出する排気装置１３と、環境室１２の外部に通じる給気通路管４５から取り込んだ空気を、環境室１２内に試料１１の下方から供給する空気供給部１７と、排気装置１３の排気通路管４１と空気供給部１７の給気通路管４５とを接続する接続通路管１８と、前記排気通路管４１から給気通路管４５への通気量を調整する通気量調整装置１９と、を備える耐候試験装置１０を構成した。【選択図】図１
2019203828.tif 000002
【特許請求の範囲】
【請求項１】
試料の耐候性を試験する耐候試験装置であって、
前記試料を収める環境室と、
前記試料に光を照射する照射器と、
前記環境室内の空気を、前記照射器の吸気用開口から導入し、前記環境室の外部に通じる排気通路を通じて当該外部に排出する排気装置と、
前記環境室の外部に通じる給気通路から取り込んだ空気を、前記環境室内に前記試料の下方から供給する空気供給部と、
前記排気装置の前記排気通路と前記空気供給部の前記給気通路とを接続する接続通路と、
前記排気通路から前記給気通路への通気量を調整する通気量調整装置と、
を備えることを特徴とする耐候試験装置。
【請求項２】
前記通気量調整装置は、
前記試料の温度、或いは、前記空気供給部から前記試料に供給される空気の温度に基づいて前記通気量を調整する
ことを特徴とする請求項１に記載の耐候試験装置。
【請求項３】
前記排気装置は、
前記排気通路に設けられた排気ファンを備え、
前記空気供給部は、
前記給気通路に設けられた給気ファンを備え、
前記接続通路は、
前記排気通路における前記排気ファンと前記外部との連通箇所の間と、
前記給気通路における前記給気ファンと前記外部との連通箇所との間と、を接続する
ことを特徴とする請求項１または２に記載の耐候試験装置。
【請求項４】
前記通気量調整装置による前記通気量の調整の間、前記排気ファン、及び前記給気ファンの回転数を一定にする、
ことを特徴とする請求項３に記載の耐候試験装置。
【請求項５】
前記外部から取り込んだ空気に、前記接続通路を通じて前記排気装置の前記排気通路から流れ込む空気を混合して得られた熱気を前記試料に供給する
ことを特徴とする請求項１から４のいずれかに記載の耐候試験装置。
【請求項６】
前記空気供給部は、
前記試料の下方に配置された吹き出し部を備え、
前記吹き出し部には、前記試料に供給する空気を吹き出す複数の吹き出し口が設けられ、
前記吹き出し口のそれぞれは、前記試料の大きさに合わせて開閉可能に構成されている、
ことを特徴とする請求項１から５のいずれかに記載の耐候試験装置。
【発明の詳細な説明】
【技術分野】
【０００１】
本発明は、耐候試験装置に関する。
【背景技術】
【０００２】
従来、耐候試験装置として、太陽電池パネルが収容されたハウジングの上部に通風可能に、複数の希ガス放電ランプが収容されたケーシングを取付け、ハウジングとケーシングとを通風ダクトで接続し、通風ダクトの途中に温度調整機構を設けたものがある（例えば、特許文献１参照）。
太陽電池パネルに希ガス放電ランプから光が照射されているときには、温度調整機構によって温度調整された空気が希ガス放電ランプ側から太陽電池パネルに吹き付けられ、太陽電池パネルの温度が調整される。
【先行技術文献】
【特許文献】
【０００３】
【特許文献１】特開２０１２−２１５５３９号公報
【発明の概要】
【発明が解決しようとする課題】
【０００４】
特許文献１では、ハウジング、ケーシング及び通風ダクトが閉じた循環送風システムを形成しているため、冷却風の温度制御幅が限られる、という問題がある。また、ランプユニットから太陽電池パネルまで距離が離れているため、耐候試験として規定された温度条件に太陽電池パネルを維持するための温度制御において、制御の応答が遅くなる、という問題もある。
【０００５】
本発明は、より最適な試料の温度制御を実現する耐候試験装置を提供することを目的とする。
【課題を解決するための手段】
【０００６】
本発明は、試料の耐候性を試験する耐候試験装置であって、前記試料を収める環境室と、前記試料に光を照射する照射器と、前記環境室内の空気を、前記照射器の吸気用開口から導入し、前記環境室の外部に通じる排気通路を通じて当該外部に排出する排気装置と、前記環境室の外部に通じる給気通路から取り込んだ空気を、前記環境室内に前記試料の下方から供給する空気供給部と、前記排気装置の前記排気通路と前記空気供給部の前記給気通路とを接続する接続通路と、前記排気通路から前記給気通路への通気量を調整する通気量調整装置と、を備えることを特徴とする。
【０００７】
本発明は、上記耐候試験装置において、前記通気量調整装置は、前記試料の温度、或いは、前記空気供給部から前記試料に供給される空気の温度に基づいて前記通気量を調整することを特徴とする。
【０００８】
本発明は、上記耐候試験装置において、前記排気装置は、前記排気通路に設けられた排気ファンを備え、前記空気供給部は、前記給気通路に設けられた給気ファンを備え、前記接続通路は、前記排気通路における前記排気ファンと前記外部との連通箇所の間と、前記給気通路における前記給気ファンと前記外部との連通箇所との間と、を接続することを特徴とする。
【０００９】
本発明は、上記耐候試験装置において、前記通気量調整装置による前記通気量の調整の間、前記排気ファン、及び前記給気ファンの回転数を一定にする、ことを特徴とする。
【００１０】
本発明は、上記耐候試験装置において、前記外部から取り込んだ空気に、前記接続通路を通じて前記排気装置の前記排気通路から流れ込む空気を混合して得られた熱気を前記試料に供給することを特徴とする。
【００１１】
本発明は、上記耐候試験装置において、前記空気供給部は、前記試料の下方に配置された吹き出し部を備え、前記吹き出し部には、前記試料に供給する空気を吹き出す複数の吹き出し口が設けられ、前記吹き出し口のそれぞれは、前記試料の大きさに合わせて開閉可能に構成されている、ことを特徴とする。
【発明の効果】
【００１２】
本発明では、照射器を空冷した空気を空気供給部に接続通路を通じて供給し、試料に供給する空気に混合させるので、ヒーター等の熱源を別途に設けることなく、試料を加熱することができ、試料の下面近傍に吹き出し部を設けることで効率よく温度制御を行うことができる。これに加え、耐候試験装置の電力使用効率が高められ省エネルギー化が図られるとともに、耐候試験装置の簡略化、及びコンパクト化を図ることができる。
【図面の簡単な説明】
【００１３】
【図１】本発明の実施形態に係る耐候試験装置を説明する説明図である。
【図２】モーターダンパーを説明する説明図であり、図２（Ａ）はモーターダンパーを示す斜視図、図２（Ｂ）は図２（Ａ）の変形例であるモーターダンパーを示す斜視図である。
【図３】図３は耐候試験装置による耐候試験における試料の温度の経時変化を示すグラフである。
【発明を実施するための形態】
【００１４】
以下、図面を参照して本発明の実施形態について説明する。
図１は、本発明の実施形態に係る耐候試験装置１０を説明する説明図である。
耐候試験装置１０は、屋外に配置される試料１１（例えば、太陽電池パネル、太陽熱温水器、建材、塗料が塗布された塗装物、液晶パネル等）の耐候性（詳しくは、光、熱による劣化度合）が所定条件を満足するかどうかを試験する加速度試験を行う装置である。
耐候試験装置１０は、試料１１や照射器２６等を収める環境室１２と、排気装置１３と、送風装置１６等を含む空気供給部１７と、接続通路管１８と、通気量調整装置１９と、を備え、通気量調整装置１９は、モーターダンパー２１、及び制御装置２２を備える。かかる耐候試験装置１０は、例えば室温や常温といった略一定の温度に維持された空間内に設置される。
【００１５】
環境室１２は、試料１１を試験する環境を作り出す密閉された空間２５を内部に形成し、この空間２５には、試料１１、照射器２６、及び吹き出し部３５が収容されている。
【００１６】
照射器２６は、環境室１２内において試料１１の上方に配置され、自然太陽光のスペクトル分布に近似させた疑似太陽光を上方（一般には真上）から試料１１に照射する装置であり、疑似太陽光を照射する疑似太陽光源３１と、この疑似太陽光源３１を収容する光源ケース３２とを備える。疑似太陽光源３１には、試料１１の加速度劣化を促進する各種の紫外線ランプや、スペクトルを調整するための光学フィルタ等が含まれる。
光源ケース３２の下部には、試料１１に対面する平らな底面が形成されており、この底面内には、環境室１２内の空気を、試料１１の上方位置で光源ケース３２内に導入する複数の吸気用開口３２Ａが形成されている。これらの吸気用開口３２Ａから光源ケース３２内に導入された環境室１２内の空気によって疑似太陽光源３１が冷却される。
吹き出し部３５は、環境室１２内において試料１１の下方に配置された筐体を備え、当該筐体の上部には、試料１１に対面する平らな天面が形成されている。この天面内には、複数の吹き出し口３５Ａが形成されている。これらの吹き出し口３５Ａからは、耐候試験装置１０が設置された空間内の温度よりも高温の空気（以下、熱風と言う）が噴射され、試料１１に下方から吹き付けられる。この熱風によって試料１１が直接的に加熱される。
【００１７】
本実施形態の環境室１２の構成によれば、試料１１の下方位置に配置された吹き出し部３５から熱風が空間２５に導入される一方で、試料１１の上方位置に設けられた吸気用開口３２Ａから空間２５の内部の空気が吸い込まれて排出されるため、試料１１の周囲には下方から上方に向かう一方向の気流が生じる。このため、照射器２６によって温められた空気が試料１１に向かうことが阻止され、吹き出し部３５の熱風の温度を制御するだけで、試料１１に与える温度を正確に制御できる。
【００１８】
排気装置１３は、環境室１２の空間２５から取り込まれ、照射器２６の疑似太陽光源３１を空冷した空気を、耐候試験装置１０の外部に排気する装置である。排気装置１３は、照射器２６から外部に通じる排気通路を形成する排気通路管４１と、この排気通路管４１の途中に設けられた排気ファン４２とを備える。
排気通路管４１は、照射器２６に接続された排気上流管４１Ａと、下流側の端部４３が外部に連通した排気下流管４１Ｂと、を備え、排気上流管４１Ａと排気下流管４１Ｂとの間に排気ファン４２が設けられている。
【００１９】
排気ファン４２が作動すると、照射器２６の複数の吸気用開口３２Ａから光源ケース３２内に環境室１２内の空気が導入され、当該空気によって疑似太陽光源３１が冷却される。当該空気は、疑似太陽光源３１を冷却することで、約６０〜８０°Ｃの高温となり、排気通路管４１を通って端部４３から外部に排出される。
【００２０】
空気供給部１７は、試料１１に空気を供給するものであり、送風装置１６と、給気通路管４５と、吹き出し部３５と、を備える。給気通路管４５は、外部に通じる給気通路を形成する。また送風装置１６は、外部の空気を取り込む装置であり、給気通路管４５の途中に設けられた給気ファン４６を備える。より具体的には、給気通路管４５は、上流側の端部４７が外部に連通した給気上流管４５Ａと、吹き出し部３５に接続された給気下流管４５Ｂと、を備え、給気上流管４５Ａと給気下流管４５Ｂとの間に給気ファン４６が設けられている。
【００２１】
給気ファン４６が作動すると、給気上流管４５Ａの端部４７から外部の空気が取り込まれ、給気通路管４５を通じて、環境室１２内の吹き出し部３５に供給され、当該吹き出し部３５から吹き出される。
【００２２】
接続通路管１８は、環境室１２の外側に設けられ、排気装置１３の排気通路管４１と、空気供給部１７の給気通路管４５と、を接続する接続通路を形成するものである。本実施形態では、接続通路管１８は、排気通路管４１の排気下流管４１Ｂ（すなわち、排気ファン４２と外部との連通箇所である端部４３との間）と、給気通路管４５の給気上流管４５Ａ（すなわち、給気ファン４６と外部との連通箇所である端部４７との間）と、を接続している。
【００２３】
排気装置１３の排気ファン４２による排気動作、及び空気供給部１７の給気ファン４６による給気動作（吸い込み動作）によって、接続通路管１８には、排気下流管４１Ｂから給気上流管４５Ａの側に向かう気流が生じる。これにより、排気下流管４１Ｂを流通する高温の空気が接続通路管１８を通じて空気供給部１７の給気通路管４５を流通する空気に合流し、外部の空気の温度（耐候試験装置１０が設置された部屋の温度）よりも温度が高められた熱風が得られる。
【００２４】
通気量調整装置１９は、排気通路管４１から給気通路管４５へ合流する空気の量（通気量）を調整するものであり、接続通路管１８の途中に設けられたモーターダンパー２１と、当該モーターダンパー２１を制御する制御装置２２と、環境室１２内に配置された温度センサー５１と、を備える。
【００２５】
図２は、モーターダンパー２１、６１を説明する説明図であり、図２（Ａ）はモーターダンパー２１を示す斜視図、図２（Ｂ）は図２（Ａ）の変形例に係るモーターダンパー６１を示す斜視図である。
図２（Ａ）に示すように、モーターダンパー２１は、ダクト５５、ダンパー軸５６、ダンパー５７、電動モーター５８を備える。
ダクト５５は、空気の出入口となる一対の開口５５Ａ、５５Ｂを備えた円筒状に形成されて接続通路管１８（図１参照）の途中に設けられ、接続通路管１８に連通される。ダンパー軸５６は、ダクト５５を貫通するとともにダクト５５に回動可能に支持される。
【００２６】
ダンパー５７は、円板状に形成されてダクト５５内に配置されるとともにダンパー軸５６に固定され、ダクト５５内の空気通路５５Ｃを開閉する。
電動モーター５８は、ダクト５５の外周面５５Ｄに固定され、電動モーター５８に備える回転軸５８Ａがダンパー軸５６の端部に接続される。これにより、電動モーター５８の作動によって、ダンパー軸５６と一体にダンパー５７が回動される。
電動モーター５８は、制御装置２２（図１参照）によって回転軸５８Ａの回動角度が０°（ダンパー５７の開閉位置としては全閉位置）〜約９０°（ダンパー５７の開閉位置としては全開位置）まで制御され、これにより、ダンパー５７の開度が全開位置と開閉位置との間で調整される。そして、ダンパー５７の開度が調整されることで、接続通路管１８の通気量が調整される。
【００２７】
図２（Ｂ）に示すように、モーターダンパー６１は、ダクト６５、一対のダンパー軸６６、一対のダンパー６７、連動機構（不図示）、電動モーター６８を備える。
ダクト６５は、空気の出入口となる一対の開口６５Ａ、６５Ｂを備えた箱形に形成され、接続通路管１８（図１参照）の途中に設けられ、接続通路管１８に連通される。一対のダンパー軸６６は、ダクト６５を構成する対向する一対の側壁６５Ｃを貫通し、一対の側壁６５Ｃに回動可能に支持される。
【００２８】
一対のダンパー６７は、それぞれダンパー軸６６に固定されるとともに、ダンパー６７同士が連動機構によって連動可能に連結されて常に同一角度となるように回動する。一対のダンパー６７により、ダクト６５の空気通路６５Ｄは、全閉から全開まで開閉される。
電動モーター６８は、ダクト６５の一方の側壁６５Ｃに固定されている。電動モーター６８に備える回転軸６８Ａは、一方のダンパー軸５６の端部に接続されている。電動モーター６８は、制御装置２２（図１参照）によって回転軸６８Ａの回動角度が０°（一対のダンパー６７の開閉としては全閉位置）〜約９０°（一対のダンパー６７の開閉位置としては全開位置）まで制御される。
【００２９】
前掲図１に戻り、温度センサー５１は、環境室１２内において試料１１の吹き出し部３５側に対向する面１１Ａに接触状態で配置されており、試料１１の温度を検出し、制御装置２２に出力する。
より具体的には、環境室１２には、吹き出し部３５の直上で試料１１を支持する試料支持部材１４が設けられており、この試料支持部材１４に、試料１１の面１１Ａに接触可能に温度センサー５１が設けられている。
試料支持部材１４は、吹き出し部３５の空気を遮蔽せずに試料１１に吹き付け可能に構成されており、例えば、試料１１を載置可能な網状部材、或いは、試料１１を載置可能に並置された複数本の細い棒部材を、吹き出し部３５の真上に配置して構成される。
【００３０】
温度センサー５１は、試料１１の面１１Ａの広さに応じて、当該面１１Ａの全域を検出可能な数だけ試料支持部材１４に設けられる。
ここで、複数の温度センサー５１を設置する場合において、各温度センサー５１の検出温度と、試料１１の面１１Ａの実際の温度との間にズレが生じることがある。そこで本実施形態では、このズレを補正するための温度補正値が温度センサー５１ごとに予め測定されており、耐候試験においては、温度センサー５１の検出温度を当該温度補正値で補正した値を、実際の検出温度として用いることとしている。
【００３１】
なお、温度補正値は、例えば次のようにして求められる。すなわち、試料１１の面１１Ａと同じ広さの面を有し、当該試料１１の温度特性と相関を有した模擬基板に、試料支持部材１４の各温度センサー５１と同じ位置に別の温度センサーを直接取り付け、模擬基板に対して耐光性試験を実施する。そして、そのときの模擬基板側の各温度センサーの検出温度と、試料支持部材１４の各温度センサー５１の検出温度とを比較することで温度補正値が求められる。
【００３２】
制御装置２２は、ＣＰＵやＭＰＵ、ＡＳＩＣ等のプロセッサと、プログラムや各種データを記憶するメモリとを備えた、いわゆるコンピュータを有し、メモリに記憶されたプログラムをプロセッサが実行することによって、耐候試験装置１０の各部を制御する。
【００３３】
制御装置２２は、耐候試験時には、１又は複数の温度センサー５１で検出された温度に基づいてモーターダンパー２１の作動（開度）を制御する。更に、制御装置２２は、疑似太陽光源３１の点灯・消灯と、排気ファン４２及び給気ファン４６の始動・停止と、これら排気ファン４２及び給気ファン４６の回転数（風量）とを制御する。
【００３４】
詳しくは、制御装置２２は、耐候試験の間、試料１１の温度を予め設定された温度に維持するために、１又は複数の温度センサー５１の各々の検出温度に基づいてモーターダンパー２１の開度をフィードバック制御（例えば、ＰＩＤ制御）により制御し、接続通路管１８の通気量を調整する。
また耐候試験の間、制御装置２２は、排気ファン４２及び給気ファン４６の回転数を、それぞれ毎に定められた所定回転数に維持し、排気通路管４１、及び給気通路管４５を流通する風量を固定する。
【００３５】
耐候試験装置１０には、耐候試験の開始／終了を指示する操作子としてのメインスイッチが設けられており、制御装置２２は、メインスイッチがオンされると、疑似太陽光源３１を点灯させるとともに、排気ファン４２及び給気ファン４６の電動モーター（不図示）を始動させ、それぞれを所定回転数で一定回転させる。
その後、メインスイッチがオフされると、制御装置２２は、上記疑似太陽光源３１を消灯させるとともに、排気ファン４２及び給気ファン４６の電動モーター（不図示）を停止させる。
【００３６】
なお、疑似太陽光源３１の点灯・消灯と、排気ファン４２及び給気ファン４６の始動・停止、及び所定回転数での回転数制御については、制御装置２２ではなく、他の装置が行っても良い。
【００３７】
耐候試験装置１０の試験条件として、試料１１への疑似太陽光源３１からの紫外線の照射に関しては、紫外線の波長及び照度を一定とし、所定時間（例えば、１Ｈｏｕｒ又は１．５Ｈｏｕｒ）に亘って照射する。また、試料１１の加熱に関しては、吹き出し部３５から所定温度（例えば、後述する温度ｔｅ２＝５５〜６５°Ｃ）の熱風を所定時間に亘って試料１１に吹き付け、或いは、試料１１を所定温度に所定時間に亘って保つ。この所定時間は、通常は、紫外線照射時間と同じ時間（例えば、１Ｈｏｕｒ又は１．５Ｈｏｕｒ）である。
【００３８】
図３は、耐候試験装置１０による耐候試験における試料１１の温度の経時変化を示すグラフであり、縦軸は試料１１の温度、横軸は耐候試験の時間を表している。
図１及び図３において、耐候試験装置１０に備えるメインスイッチがオンになると、制御装置２２は、疑似太陽光源３１を点灯させ、排気ファン４２及び給気ファン４６のそれぞれの電動モーターを始動させ、所定回転数で一定回転させる。また同時に、モーターダンパー２１のダンパーを全開にして接続通路管１８における空気の流通を可能にする。
【００３９】
時間ゼロ（メインスイッチオン時）の初期状態では、環境室１２内は常温、又は室温である温度ｔｅ１に維持されている。そして、時間経過に伴って、照射器２６の疑似太陽光源３１による輻射熱が増加し、排気通路管４１を流れる空気の温度が高まるため、温度センサー５１による検出温度も次第に上昇し、時間ｔ１では、検出温度が所定温度ｔｅ２（例えば６０℃）に達する。
【００４０】
制御装置２２は、検出温度が所定温度ｔｅ２に達する前から、又は検出温度が所定温度ｔｅ２に達した後、１又は複数の温度センサー５１の検出温度に基づいてモーターダンパー２１の開度をフィードバック制御する。すなわち、制御装置２２は、検出温度と所定温度ｔｅ２との偏差に基づいて、当該偏差がゼロになるようにモーターダンパー２１の開度を、全開状態、及び全閉状態の間で制御する。モーターダンパー２１の開度調整によって、接続通路管１８の通気量、すなわち排気通路管４１から給気通路管４５に合流する空気量が調整され、吹き出し口３５Ａから吹き出される熱風の温度が制御される。これにより、検出温度が所定温度ｔｅ２の近傍（例えば６０℃±５℃）の範囲に維持される。
【００４１】
その後、試験終了時間である時間ｔ２になると、制御装置２２は、疑似太陽光源３１を消灯させ、モーターダンパー２１のダンパーを閉じて接続通路管１８における空気の流通を不可にして試料１１の加熱を終了する。この時間ｔ２（メインスイッチオフ）以後、温度センサー５１の検出温度が所定温度ｔｅ２の状態から次第に下降する。そして制御装置２２は、検出温度が常温（耐候試験開始前の温度）まで下降したときに、排気ファン４２及び給気ファン４６のそれぞれの電動モーターを停止させる。
【００４２】
本実施形態によれば、次のような効果を奏する。
【００４３】
本実施形態の耐候試験装置１０は、環境室１２内の試料１１の上方位置から取り込まれ、照射器２６を冷却した空気を、外部に通じる排気通路管４１を通じて当該外部に排出する排気装置１３と、外部に通じる給気通路管４５から取り込んだ当該外部の空気を、環境室１２内に試料１１の下方から供給する空気供給部１７と、排気装置１３の排気通路管４１と空気供給部１７の給気通路管４５とを接続する接続通路管１８と、を備える。
【００４４】
これにより、照射器２６の疑似太陽光源３１の空冷に供した空気が接続通路管１８を通じて空気供給部１７に供給され、試料１１に吹き付ける熱風が得られるので、熱風を得るためのヒーター等の熱源を別途に設ける必要がない。したがって、耐候試験装置１０の電力使用効率が高められ省エネルギー化が図られるとともに、耐候試験装置１０の簡略化、及びコンパクト化を図ることができる。
【００４５】
また、環境室１２の内部では、試料１１の周囲には下方から上方に向かう一方向の気流が生じ、照射器２６によって温められた空気が試料１１に向かうことが阻止され、吹き出し部３５の熱風の温度を制御するだけで、試料１１に与える温度を正確に制御できる。
【００４６】
これに加え、耐候試験装置１０は、排気通路管４１から給気通路管４５への通気量を調整する通気量調整装置１９を備えるため、疑似太陽光源３１の輻射熱の増加に応じて、排気通路管４１から給気通路管４５への通気量をモーターダンパー２１が調整することで、空気供給部１７の熱風の温度を適切に制御し、熱風の温度が過度に上昇するのを防止できる。
さらに、排気装置１３にあっては、端部４３が大気に連通しているため、排気通路管４１を流れる風量が、接続通路管１８の通気量の増減に依存することがなく、照射器２６の空冷能力への影響を抑えることができる。
【００４７】
本実施形態の耐候試験装置１０では、通気量調整装置１９は、試料１１の温度に基づいて、接続通路管１８の通気量を調整する。これにより、試料１１に与える熱を制御し、当該試料の温度を所定温度に正確に維持することができる。
【００４８】
本実施形態の耐候試験装置１０では、接続通路管１８は、排気通路管４１における排気ファン４２と外部との連通箇所である端部４３の間と、給気通路管４５における給気ファン４６と外部との連通箇所である端部４７との間と、を接続する。
これにより、排気ファン４２の動作によって照射器２６を流れる空気量と、給気ファン４６の動作によって吹き出し部３５から吹き出される空気量とが、接続通路管１８の通気量に影響されることがなく、照射器２６の冷却能力と、試料１１の加熱能力の変動が抑えられる。
【００４９】
本実施形態の耐候試験装置１０では、制御装置２２は、通気量調整装置１９による通気量の調整の間、排気ファン４２、及び給気ファン４６の回転数を一定にする。
これにより、排気装置１３によって環境室１２から排気される排気風量、及び、空気供給部１７によって環境室１２に導入される給気風量の両者のバランス、すなわち、環境室１２を循環する風量のバランスが一定に維持され、環境室１２内の雰囲気の安定化が図られる。
【００５０】
本実施形態の耐候試験装置１０では、外部から取り込んだ空気に、接続通路管１８を通じて排気装置１３から流れ込む空気を混合して得られた熱気を試料１１に供給する構成とした。
外部である室内の温度は概ね常温又は室温に維持され、排気通路管４１を流通する空気に比べて温度の変動が小さいため、接続通路管１８の通気量を制御するだけで、外部の空気の温度を基準に、熱風の温度を容易、かつ正確に制御できる。
【００５１】
上述した実施形態は、あくまでも本発明の一態様を示すものであり、本発明の主旨を逸脱しない範囲で任意に変形及び応用が可能である。
【００５２】
例えば、吹き出し部３５の吹き出し口３５Ａの各々に開閉体を設け、試料１１の面１１Ａに対応した位置（例えば直下）の吹き出し口３５Ａのみを開放可能に構成して、当該試料１１に熱を加えてもよい。この場合において、照射器２６においても、疑似太陽光源３１が試料１１の範囲のみに疑似太陽光を照射する構成としてもよい。
これにより、試料１１に与える熱を、より正確に制御することができる。
【００５３】
なお、本変形例において、個々の吹き出し口３５Ａに開閉体を設けるのではなく、複数の吹き出し口３５Ａごとに、これらを同時に開閉するように開閉体を設けてもよい。
また開閉体としては、例えば吹き出し口３５Ａを開閉する部材であれば、例えば吹き出し口３５Ａを閉塞する板材といった任意の部材を用いることができる。
また、制御装置２２が開閉体の開閉を制御可能に構成してもよい。この場合において、耐候試験中に、制御装置２２は、温度センサー５１の検出温度に基づいて、各開閉体の開閉を制御してもよい。
【００５４】
上述した実施形態の耐候試験装置１０において、環境室１２の内部の雰囲気温度を検出するための温度センサーや、吹き出し部３５の内部を流通している空気の温度を検出するための温度センサーを設け、これらの温度センサーの検出温度に基づいて、環境室１２の内部や、吹き出し部３５の内部の温度異常を検出してもよい。これにより、温度異常を検出した時点で耐候試験を速やかに停止することができる。
【００５５】
上述した実施形態では、モーターダンパー２１、６１のダンパー５７、６７を、全閉位置及び全開位置に加えて、全閉位置と全開位置との間の中間位置（所定角度間隔毎の複数の位置）で開閉するようにしたが、これに限らず、例えば、ダンパーを、全閉位置と全開位置との二つの位置のみで開閉するようにしても良い。
【００５６】
上述の実施形態では、通気量調整装置１９として、モーターダンパー２１、６１を備える構成を例示したが、これに限らない。例えば、モーターダンパー２１、６１に代えて、ダクトに端部が揺動可能に取付けられたダンパーと、このダンパーを揺動させてダクトの空気通路を開閉させるソレノイド、空圧（又は油圧）シリンダー等のアクチュエーターとから構成しても良い。更には、弁によって空気通路を開閉する機構としても良い。
【００５７】
上述の実施形態では、疑似太陽光を試料１１に照射したが、これに限らず、試料１１に照射する光は、耐候試験の内容に応じて適宜に変更可能である。
【符号の説明】
【００５８】
１０  耐候試験装置
１１  試料
１２  環境室
１３  排気装置
１４  試料支持部材
１６  送風装置
１７  空気供給部
１８  接続通路管（接続通路）
１９  通気量調整装置
２２  制御装置
２６  照射器
３１  疑似太陽光源
３２Ａ  吸気用開口
４１  排気通路管（排気通路）
４２  排気ファン
４５  給気通路管（給気通路）
４６  給気ファン
５１  温度センサー
【図１】
2019203828.tif 000003
【図２】
2019203828.tif 000004
【図３】
2019203828.tif 000005